(57)【要約】      （修正有）【課題】スチールバーは、特定の位置に高くされ、且つ、作業者が床スラブセメントを注入する際のレベル指示の情報が提供され、全体構造の構築の正確性が強化される構成とする。【解決手段】床スラブスチールバーを高くし、且つ、床スラブの厚みレベルを指示する装置は、第１フレーム構造２および第２フレーム構造３を含む。第１フレーム構造は、第１本体部２１と、第１支持部２２とを含み、第１本体部は、少なくとも１組の第１切欠き２１１と、第１ベース２１０とを含む。第２フレーム構造は、第２本体部３１と、第２支持部３２とを含み、第２本体部は、少なくとも１組の第２切欠きと、第２ベースとを含む。使用状態において、第１ベースは、第２支持部と係合するか、あるいは、代替的に、第２ベースは、第１支持部と係合する。【選択図】図１
2018131892.tif 000002
【特許請求の範囲】
【請求項１】
第１本体部および第１支持部を有する第１フレーム構造であって、前記第１本体部は、少なくとも１組の第１切欠きと、第１ベースとを含む前記第１フレーム構造と、
使用状態において、前記第１ベースが第２支持部と係合するか、あるいは、代替的に、第２ベースが前記第１支持部と係合するように、第２本体部および前記第２支持部を有する第２フレーム構造であって、前記第２本体部は、少なくとも１組の第２切欠きと、前記第２ベースとを含む前記第２フレーム構造と
を具備する
床スラブスチールバーを高くし、且つ、床スラブの厚みレベルを指示する装置。
【請求項２】
前記第１本体部は、複数のスチールバーをそれぞれ配置するための２組の前記第１切欠きを含むことを特徴とする
請求項１に記載の床スラブスチールバーを高くし、且つ、床スラブの厚みレベルを指示する装置。
【請求項３】
前記第２本体部は、複数のスチールバーをそれぞれ配置するための２組の前記第２切欠きを含むことを特徴とする
請求項１に記載の床スラブスチールバーを高くし、且つ、床スラブの厚みレベルを指示する装置。
【請求項４】
前記第１本体部および前記第１支持部は、１つの部材として一体的に形成されていることを特徴とする
請求項１に記載の床スラブスチールバーを高くし、且つ、床スラブの厚みレベルを指示する装置。
【請求項５】
前記第２本体部および前記第２支持部は、１つの部材として一体的に形成されていることを特徴とする
請求項１に記載の床スラブスチールバーを高くし、且つ、床スラブの厚みレベルを指示する装置。
【請求項６】
前記第１本体部は、中空体であることを特徴とする
請求項１に記載の床スラブスチールバーを高くし、且つ、床スラブの厚みレベルを指示する装置。
【請求項７】
前記第２本体部は、中空体であることを特徴とする
請求項１に記載の床スラブスチールバーを高くし、且つ、床スラブの厚みレベルを指示する装置。
【請求項８】
前記第１フレーム構造と前記第２フレーム構造とを組み合わせた後、前記第１フレーム構造と前記第２フレーム構造との加算高さは１５ｃｍであることを特徴とする
請求項１に記載の床スラブスチールバーを高くし、且つ、床スラブの厚みレベルを指示する装置。
【請求項９】
前記第１フレーム構造と前記第２フレーム構造との組み合わせは、配管を受け入れる収容チャンバを含むことを特徴とする
請求項１に記載の床スラブスチールバーを高くし、且つ、床スラブの厚みレベルを指示する装置。
【発明の詳細な説明】
【技術分野】
【０００１】
本発明は、床スラブスチールバーを高くし、且つ、床スラブの厚みレベルを指示する装置に関し、より具体的には、セメント注入工事を補助するのに適する床スラブスチールバーを高くし、且つ、床スラブの厚みレベルを指示する装置に関する。
【背景技術】
【０００２】
スチールバーは、床スラブ構造体にとって不可欠な材料である。従来、スチールバーの敷設作業は、スチールバーを床またはテンプレートの所定距離上方で支持するために、スチールバーを小石、レンガ、または、ブロック状の材料の間に介在させる等、スチールバーを特定の高さ位置に敷設することにより行われていた。複数のブロック状の材料は、スチールバーの部分が確実に特定の高さに維持されるように、互いに離間して配置される。これにより、セメント注入後に、床スラブの全体厚は、スチールバーおよびテンプレートを介して構築され、スチールバーはセメントによって完全に包囲される。
【０００３】
それにもかかわらず、小石やレンガによって構築された高くされた構造には欠点がある。すなわち、第１に、スチールバーを特定の高さに正確に設置することは不可能であり、誤差が頻繁に発生する。第２に、小石またはレンガに直接スチールバーを敷設する場合、セメント注入による振動によりスチールバーが元の位置からずれることがあり、その結果、スチールバーが露出したり強度が不足したりする。第３に、床レベルを示すための明確な根拠を得ることは難しく、作業者は自分自身の経験や他の測定機器に従ってセメント注入を止める時を推測することしかできず、床スラブの厚さの誤差が容易に発生する。
【０００４】
このような問題を解決するために、従来のスチールバー施工方法に代わる“床スラブスチールバーを高くし、且つ、床スラブの厚みレベルを指示する装置”の研究と実験が行われ、本発明の完成に至った。
【発明の概要】
【発明が解決しようとする課題】
【０００５】
本発明の目的は、床スラブスチールバーを高くし、且つ、床スラブの厚みレベルを指示する装置を提供して、スチールバーを特定の高さ位置に敷設し、セメント注入中に作業者に床スラブのレベルを指示する情報を提供することを可能にすることである。このようにして、スチールバー構造を配列する方法が確保され、また、その間に、床スラブ構造体の厚さ寸法が正確に形成され、全体構造の構築の正確性が強化される。
【課題を解決するための手段】
【０００６】
上述の目的を達成するために、床スラブスチールバーを高くし、且つ、床スラブの厚みレベルを指示する装置は、第１フレーム構造および第２フレーム構造を具備する。第１フレーム構造は、第１本体部および第１支持部を有し、第１本体部は、少なくとも１組の第１切欠きと、第１ベースとを含む。第２フレーム構造は、第２本体部および第２支持部を有し、第２本体部は、少なくとも１組の第２切欠きと、第２ベースとを含む。本発明によれば、使用状態において、第１ベースが第２支持部と係合するか、あるいは、代替的に、第２ベースが第１支持部と係合する。
【０００７】
本発明によれば、上述の組合せ関係により、床スラブスチールバーを高くし、且つ、床スラブの厚みレベルを指示する積層状の装置を形成することができ、スチールバーが切欠き中に敷設されている限りにおいて、セメント注入中にスチールバーが位置ずれして配置されたり傾いて配置されたりする懸念がない。これにより、構造全体の構築の正確性が強化される。
【０００８】
更に、本発明によれば、第１本体部は、複数のスチールバーをそれぞれ配置するための２組の第１切欠きを含んでいてもよく、また、第２本体部は、複数のスチールバーをそれぞれ配置するための２組の第２切欠きを含んでいてもよい。換言すれば、第１本体部および第２本体部は、それぞれが、様々な向きのスチールバーを配置するために２組の切欠きを使用することができ、床スラブの全体構造が強化され、耐久力のある応力配分の目的が達成される。
【０００９】
更に、本発明によれば、第１本体部および第１支持部は、１つの部材として一体的に形成されてもよく、また、第２本体部および第２支持部も、１つの部材として一体的に形成されてもよい。すなわち、第１フレーム構造および第２フレーム構造の両方について、支持部は、第１本体部または第２本体部の内側から径方向内側に延びる構造厚さによって形成され、第１フレーム構造と第２フレーム構造の組み合わせに際して、ストッパ効果を提供する。
【００１０】
本発明によれば、第１本体部および第２本体部の各々は中空体であってもよく、コストが１つの観点として考慮されており、加えて、作業者がスチールバーや配管をその中に配置して利便性を高めることができるように、使用のためのより多くの空間が提供される。
【００１１】
更に、本発明によれば、第１フレーム構造と第２フレーム構造とを組み合わせた後、第１フレーム構造と第２フレーム構造との加算高さは１５ｃｍである。こうして、本発明によれば、レベル指示の機能により、単層床スラブの厚さを、床スラブ構造の強度を確保するために、１５ｃｍに制限することができる。
【００１２】
更に、本発明によれば、第１フレーム構造と第２フレーム構造との組み合わせは、配管を受け入れる収容チャンバを含む。換言すれば、本発明によれば、床スラブスチールバーを高くし、且つ、床スラブの厚みレベルを指示する装置は、スチールバーが敷設される位置の位置決めのために提供されるだけでなく、配管の経路を床スラブ内に形成することができるように配管を収容チャンバ内に配置することもできる。
【００１３】
本発明の他の目的、利点および新規な特徴は、添付の図面と併せて以下の詳細な説明から明らかになるであろう。
【図面の簡単な説明】
【００１４】
【図１】図１は、本発明における床スラブスチールバーを高くし、且つ、床スラブの厚みレベルを指示する装置を示す斜視図である。
【図２】図２は、本発明における床スラブスチールバーを高くし、且つ、床スラブの厚みレベルを指示する装置をスチールバーとともに示す分解図である。
【図３】図３は、本発明における床スラブスチールバーを高くし、且つ、床スラブの厚みレベルを指示する装置を単層のスチールバーとともに示す斜視図である。
【図４】図４は、本発明における床スラブスチールバーを高くし、且つ、床スラブの厚みレベルを指示する装置を二層のスチールバーとともに示す斜視図である。
【発明を実施するための形態】
【００１５】
図１の本発明における床スラブスチールバーを高くし、且つ、床スラブの厚みレベルを指示する装置を示す斜視図、および、図２の本発明における床スラブスチールバーを高くし、且つ、床スラブの厚みレベルを指示する装置をスチールバーとともに示す分解図が参照される。床スラブスチールバーを高くし、且つ、床スラブの厚みレベルを指示する装置１は、第１フレーム構造２および第２フレーム構造３を含む。本発明によれば、２つのフレーム構造２、３は、積層および支持の目的のため、限定されるものではないが、正方形柱状体、円筒状柱状体、または、多角形柱状体、あるいは、同様の輪郭を有する柱状体である。初期の状態では、第１フレーム構造２と第２フレーム構造３は別々の独立した個体である。本発明は、上述のような組み合わせ型の構造を介して建築作業に利便性を提供し、そして、スチールバー構造体は、スチールバーの構造上の自由度を高めるのに役立つような層状構築物に関連する。
【００１６】
本発明では、第１フレーム構造２は、第１本体部２１および第１支持部２２を含む。第１支持部２２は、第１本体部２１の内側から径方向内側に延びる構造厚さによって形成され、第１本体部２１と一体的に形成され、十分な支持強度とストッパ効果とを提供し、第１フレーム構造２および第２フレーム構造３の組み合わせに対して支持要素として機能する。本発明によれば、第１本体部２１は、スチールバーを配置するための２組の第１切欠き２１１、２１２と、支持力を提供するための第１ベース２１０とを含む。第１ベース２１０は、支持構造に関連し、限定されるものではないが、４本の支持脚からなる。しかし、第１ベースは、スチールバーの重量を支持可能である限りにおいてどのような構成であってもよい。更に、第１本体部２１は中空体であり、コストが１つの観点として考慮されており、加えて、作業者がスチールバーや配管をその中に配置して利便性を高めることができるように、使用のためのより多くの空間が提供される。
【００１７】
同様に、第２フレーム構造３は、第２本体部３１および第２支持部３２を含む。第２支持部３２は、第２本体部３１の内側から径方向内側に延びる構造厚さによって形成され、第２本体部３１と一体的に形成され、十分な支持強度とストッパ効果とを提供し、第２フレーム構造３および第１フレーム構造２の組み合わせに対して支持要素として機能する。本発明によれば、第２本体部３１は、スチールバーを配置するための２組の第２切欠き３１１、３１２と、支持力を提供するための第２ベース３１０とを含む。第２ベース３１０は、支持構造に関連し、限定されるものではないが、４本の支持脚からなる。しかし、第２ベースは、スチールバーの重量を支持可能である限りにおいてどのような構成であってもよい。更に、第２本体部３１は中空体である、コストが１つの観点として考慮されており、加えて、作業者がスチールバーや配管をその中に配置して利便性を高めることができるように、使用のためのより多くの空間が提供される。
【００１８】
また、本発明では、使用状態において、床スラブスチールバーを高くし、且つ、床スラブの厚みレベルを指示する積層状の装置１（図１を参照）を形成するために、第１ベース２１０が、第２支持部３２に係合される。このように設計された構造により、図示されているように、スチールバーを特定の位置に均一に高くして、スチールバー構造を配列する方法が確保され、セメント注入中にスチールバーが位置ずれして配置されたり傾いて配置されたりする懸念がない。また、第１フレーム構造２および第２フレーム構造３は、高さが、床スラブ厚さの指示レベルになるように、重ねられている。このように、作業者は、床スラブの厚みレベルを指示する装置１のフレーム構造２、３の高さに従って、セメント注入をいつ止めるべきかを知ることができ、床スラブの寸法に必要な厚さが得られ、構造全体の構築の正確性が強化される。他方、設計上の異なる要請がある場合には、第２フレーム構造３と積層される第１フレーム構造２の位置が変更され得る。すなわち、図１に示される態様とは異なり、第２ベース３１０が、第１支持部２２に係合されてもよい。
【００１９】
更に、本発明によれば、第１フレーム構造２と第２フレーム構造３との組み合わせは、配管を受け入れる収容チャンバ４を含む。換言すれば、本発明における床スラブスチールバーを高くし、且つ、床スラブの厚みレベルを指示する装置１は、スチールバーが敷設される位置の位置決めのために提供されるだけでなく、配管の経路を床スラブ内に形成することができるように配管を収容チャンバ４内に配置することもできる。
【００２０】
続いて、図３の本発明における床スラブスチールバーを高くし、且つ、床スラブの厚みレベルを指示する装置を単層のスチールバーとともに示す斜視図、および、図４の本発明における床スラブスチールバーを高くし、且つ、床スラブの厚みレベルを指示する装置を二層のスチールバーとともに示す斜視図が参照される。図３に示されるように、第２切欠き３１１、３１２の中には、それぞれ、横スチールバーと縦スチールバーとが敷設され、単層スチールバーの床スラブ構造が構築されている。図４に示されるように、第１切欠き２１１、２１２の中には、それぞれ、横スチールバーと縦スチールバーとが敷設され、第２切欠き３１１、３１２の中には、それぞれ、横スチールバーと縦スチールバーとが敷設されている。本発明によれば、組み合わせの後、第１フレーム構造２と第２フレーム構造３との加算高さは１５ｃｍであり、第２フレーム構造３の底部から下層のスチールバーまでには、３ｃｍの保護間隔が存在する。これにより、床スラブの構造強度を確保することができるだけでなく、スチールバーの露出や表面割れなどの状況を回避することができる。
【００２１】
本発明は、その好ましい実施形態に関連して説明されたが、以下に請求される本発明の範囲から逸脱することなく他の多くの可能な修正および変形が可能であることが理解されるべきである。
【符号の説明】
【００２２】
１        床スラブスチールバーを高くし、且つ、床スラブの厚みレベルを指示する装置
２        第１フレーム構造
２１      第１本体部
２１０    第１ベース
２１１    第１切欠き
２１２    第１切欠き
２２      第１支持部
３        第２フレーム構造
３１      第２本体部
３１０    第２ベース
３１１    第２切欠き
３１２    第２切欠き
３２      第２支持部
４        収容チャンバ
【図１】
2018131892.tif 000003
【図２】
2018131892.tif 000004
【図３】
2018131892.tif 000005
【図４】
2018131892.tif 000006